(57)【要約】テレビ（ＴＶ）モニタまたは受信器は、普通、ビデオ信号のアクティブ部分のみを表示し、一般には、ＨＢＩ（水平帰線消去期間）および／またはＶＢＩ（垂直帰線消去期間）は表示されない。しかしながら、一部のＴＶディスプレイでは、帰線消去期間（オーバースキャンエリア）の少なくとも一部を表示することが提供されている。一部のディスプレイ（例えば、プロ使用のためのモニタ）では、ユーザがテスト、コマンドおよび／または基準信号をモニタリングすることを可能にする方法としてＶＢＩが表示される。水平（または垂直）タイミングまたはリカバリー回路が誤ったタイミングという結果になることをもたらすビデオ信号の帰線消去期間内に存在する周知のコピー防止信号のような追加のパルスがある場合、ＴＶディスプレイに対して少なくとも１つの帰線消去期間のみの表示(viewing)が損なわれる。例えば、ＶＢＩ領域内の追加のコピー防止パルスが、ＴＶディスプレイ内の水平位相ロックループ回路がミスタイミングを引き起こす原因となる場合、ＶＢＩ（オーバースキャンエリア）内の信号の表示(viewing)が損なわれる。そのような信号は、テスト信号および／またはシンク信号を含んでもよい。本明細書中に開示された方法および装置は、帰線消去期間のより良い表示を可能にするためにＴＶ表示回路におけるタイミングを改善または補正する。そのような一方法は、ＶＢＩおよび／またはＨＢＩ内の少なくとも１つの追加または他のパルスを再配置および／または除去または修正することである。【選択図】
2010507976.tif 000002
【特許請求の範囲】
【請求項１】
ビデオ信号に関連するビデオ画像のオーバースキャン部分およびアクティブ部分を表示するビデオディスプレイデバイスに前記ビデオ信号を提供することと、
帰線消去期間において、前記ビデオ信号の一部を修正することと
を含む方法であって、
前記修正の結果として、表示された前記オーバースキャン部分は、改善された見易さを表す、方法。
【請求項２】
前記帰線消去期間における前記ビデオ信号の一部は複数の等化パルスを含み、前記修正することは、少なくとも１つの等化パルスを修正することを含む、請求項１に記載の方法。
【請求項３】
前記修正することは、少なくとも１つの等化パルスを除去すること、少なくとも１つの等化パルスの幅を変更すること、少なくとも１つの等化パルスの位置を変更すること、または少なくとも１つの等化パルスの振幅を変更することのうちの少なくとも１つを含む、請求項２に記載の方法。
【請求項４】
前記垂直帰線消去期間における前記ビデオ信号の一部は、標準テレビ信号に存在しない少なくとも１つの追加のパルスを含む、請求項１に記載の方法。
【請求項５】
前記追加のパルスは、前記ビデオ信号に関して正方向または負方向である、請求項４に記載の方法。
【請求項６】
前記修正することは、少なくとも１つの追加のパルスを除去すること、少なくとも１つの追加のパルスの幅を変更すること、少なくとも１つの追加のパルスの位置を変更すること、または少なくとも１つの追加のパルスの振幅を変更することのうちの少なくとも１つを含む、請求項４に記載の方法。
【請求項７】
前記追加のパルスは、前記垂直帰線消去期間における水平走査線のバックポーチ領域に存在する、請求項４に記載の方法。
【請求項８】
前記修正することがないと、前記表示されたオーバースキャン部分は歪みを示す、請求項１に記載の方法。
【請求項９】
前記修正がないときの前記追加のパルスの存在は、前記表示されたオーバースキャン部分に電圧クランプ誤差をもたらし、前記追加のパルスの前記修正は、前記電圧クランプ誤差を減少させ、それによって、前記表示されたオーバースキャン部分の見易さを改善する、請求項５に記載の方法。
【請求項１０】
前記ビデオディスプレイデバイスは、テレビ受信器、テレビモニタ、ビデオモニタ、クロスパルスモニタ、またはコンピュータディスプレイのうちの１つである、請求項１に記載の方法。
【請求項１１】
前記修正することは、１つ以上の水平シンクパルスの前または後に、少なくとも１つの負方向パルスを追加または挿入することを含む、請求項１に記載の方法。
【請求項１２】
前記ビデオ信号は、前記ビデオ信号が前記オーバースキャン部分に表示された場合に輝度クランプ誤差をもたらす前記オーバースキャン部分内の選択された水平走査線におけるバックポーチ領域において、正または負のレベルを含み、
前記ビデオ信号は、前記オーバースキャン部分において低減された輝度クランプ誤差を提供するように修正される、請求項１に記載の方法。
【請求項１３】
ビデオ信号を修正するための装置であって、前記装置は、前記ビデオ信号に関連するビデオ画像のオーバースキャン部分およびアクティブ部分を表示するビデオディスプレイデバイスに、修正したビデオ信号を提供するために結合されるようになされ、前記装置は、
前記ビデオ信号を受信するための入力ポートと、
前記ビデオディスプレイデバイスに結合されるようになされた出力ポートと、
前記入力ポートと前記出力ポートとの間に結合され、前記ビデオ信号の帰線消去期間において前記ビデオ信号を修正する回路とを含み、
前記ビデオ信号の前記オーバースキャン部分は、前記ビデオディスプレイデバイス上に表示されたときに、前記修正の結果として、前記オーバースキャン部分において改善された見易さを表す、装置。
【請求項１４】
前記帰線消去期間における前記ビデオ信号の一部は、等化パルスを含み、前記修正することは、少なくとも１つの等化パルスを修正することを含む、請求項１３に記載の装置。
【請求項１５】
前記修正することは、少なくとも１つの等化パルスを除去すること、少なくとも１つの等化パルスの幅を変更すること、少なくとも１つの等化パルスの位置を変更すること、または少なくとも１つの等化パルスの振幅を変更することのうちの少なくとも１つを含む、請求項１４に記載の装置。
【請求項１６】
前記垂直帰線消去期間における前記ビデオ信号の一部は、標準テレビ信号に存在しない少なくとも１つの追加のパルスを含み、前記修正することは、前記追加のパルスを修正することを含む、請求項１３に記載の装置。
【請求項１７】
前記追加のパルスは、前記ビデオ信号に関して正方向または負方向である、請求項１６に記載の装置。
【請求項１８】
前記修正することは、少なくとも１つの追加のパルスを除去すること、少なくとも１つの等化パルスの幅を変更すること、少なくとも１つの等化パルスの位置を変更すること、または少なくとも１つの等化パルスの振幅を変更することのうちの少なくとも１つを含む、請求項１６に記載の装置。
【請求項１９】
前記追加のパルスは、前記垂直帰線消去期間またはオーバースキャンエリアにおける水平走査線のバックポーチ領域に存在する、請求項１６に記載の装置。
【請求項２０】
前記修正することがないと、前記表示されたオーバースキャン部分は歪みを示す、請求項１３に記載の装置。
【請求項２１】
前記修正がないときの前記追加のパルスの存在は、前記表示されたオーバースキャン部分に電圧クランプ誤差をもたらし、前記追加のパルスの前記修正は、前記電圧クランプ誤差を減少させ、それによって、前記表示されたオーバースキャン部分の見易さを改善する、請求項１７に記載の装置。
【請求項２２】
前記ビデオディスプレイデバイスは、テレビ受信器、テレビモニタ、ビデオモニタ、クロスパルスモニタ、またはコンピュータディスプレイのうちの１つである、請求項１３に記載の装置。
【請求項２３】
前記修正することは、１つ以上の水平シンクパルスの前または後に、少なくとも１つの負方向パルスを追加または挿入することを含む、請求項１３に記載の装置。
【請求項２４】
ビデオコピー防止信号を合成する方法であって、
水平帰線消去期間において正常ではない位相のカラーバーストサイクルを有する一組の走査線を有するビデオ信号を提供することと、
第１のセットより少ない水平帰線消去期間における正常ではない位相のサイクルを含む前記ビデオ信号に別の組の走査線を提供することと
を含み、
前記ビデオコピー防止信号の合成は、より効果的なカラーストライプビデオコピー防止信号を提供する、方法。
【請求項２５】
テレビまたはビデオディスプレイにおけるカラー処理システムの種類を識別する方法であって、
ビデオ信号の１本以上の走査線のカラーバースト部分において正しくない位相の少なくとも１つのサイクルを有するビデオ信号を前記ディスプレイに提供することと、
前記ビデオ信号が表示されたときに前記ディスプレイのオーバースキャンエリアのカラーバースト部分を観察することであって、前記カラーバースト部分における観察された減衰またはハンギングドットは、くし形フィルタカラー処理システムを示す、ことと
を含む、方法。
【請求項２６】
ビデオ信号がその中に修正したカラーバーストを有するように修正する方法であって、
前記ビデオ信号の選択された組の走査線に対して正しくない位相の少なくとも１つのサイクルを含むカラーバーストを前記ビデオ信号に提供することを含み、
前記修正したカラーバーストは、前記カラーバーストエリアの少なくとも一部がディスプレイ上に表示されたときにテレビまたはビデオディスプレイのカラー処理システムの識別を可能にする、方法。
【発明の詳細な説明】
【技術分野】
【０００１】
本開示は、ビデオおよびテレビに関し、より詳細には、ＴＶ（テレビ）セットおよびモニタのようなビデオ／テレビディスプレイに関する。
【背景技術】
【０００２】
本開示は、ＴＶ信号の非アクティブ（オーバースキャン)ビデオ部分のディスプレイに関する。ＴＶディスプレイは、時々、ユーザが普通見ることができない特定のＴＶ信号（ＴＶスクリーンのオーバースキャンエリアにあるため）を見ることを可能にするＨ（水平）および／またはＶ（垂直）走査遅延機能を提供する。これらの信号は、テスト、タイミング、タイムコード、テレテキスト、ＣＧＭＳおよび／またはクローズドキャプション信号を含んでもよい。一部の場合、追加のパルスは、位相ロックループ回路を含むＴＶディスプレイ（ＴＶモニタまたはＴＶセットのような）内の水平走査回路がＶＢＩ（垂直帰線消去期間）またはオーバースキャンエリア内のその付近における表示信号に歪みをもたらす時間軸誤差を生成する原因となる。
【０００３】
そのような追加のパルスは、水平タイミング回路からの正常な周期的出力が非周期的パルスあるいはＶＢＩまたはオーバースキャンエリア内の位相および／または周波数誤差という結果をもたらす特定の負方向パルスを含み得る。
【０００４】
従来、等化前後のシンク（同期）パルスは、ＴＶディスプレイ水平発振回路を同相で保つはずであった。しかしながら、速いＡＦＣ（自動周波数制御）応答に対して設定された水平タイミング回路を注意深く見ると、ＴＶ（ビデオ）走査線の真ん中にある追加のパルスは、実際、水平位相ロックループ回路内のＶＢＩ中にいくつかの小さなタイミング誤差をもたらす。さらに、前置または後置の等化パルスの（水平シンクパルスと比べて）狭い幅は、水平周波数位相ロックループ回路内のＶＢＩ中に位相検出器エラーに寄与し得る。垂直シンクパルスを見ると、これらのパルスは水平シンクパルスより幅が広いが、水平周波数位相ロックループを同期状態に保つために鋸歯状である。しかしながら、実際には、広い垂直シンクパルスは、水平発振回路に対するＡＦＣループ内のＶＢＩ中のタイミング誤差にも寄与する。
【０００５】
この技術的な問題を示すために、Ｗｉｊｎｅｎの米国特許番号第５，４８１，６０８号では、特定の負パルスがコピー防止目的のためにＶＢＩ（オーバースキャンエリア内）の近くで挿入され、それによって、非標準パルス幅または位置を有する。結果的に、オーバースキャンエリア内でそのような信号を再生するＴＶディスプレイに対する水平発振回路は、その公称位相が取り除かれ、水平および／または垂直遅延走査ディスプレイにおいて望ましくないシフトした外観をもたらすことがある。ビデオ信号に対するさらなる他の修正においては、ＨＢＩ内あるいはＶＢＩ内またはその近くの追加の負方向パルスは、水平周波数位相ロックループにおけるオーバースキャン期間中の誤り位相シフトにも寄与する。さらに、コピー防止目的のためにＴＶ信号に追加された特定の「擬似シンク」パルスは、ＴＶディスプレイ内のそのような水平タイミング回路における位相検出器がＶＢＩエリアの一部に歪んだ走査を生成する原因となり得るが、オーバースキャンエリア内に存在するこれらの擬似シンクまたは負方向パルス（またはオーバースキャンエリアにおける正方向パルス）は、従来のディスプレイ（例えば、消費者ＴＶセットのような、ＨまたはＶ遅延機能を有していないディスプレイ）上で普通に見たときに歪みを生成しない。
【発明の概要】
【０００６】
本発明の目的は、ビデオ信号の帰線消去期間またはオーバースキャン部分のＴＶディスプレイにより良い見易さ、例えば、特定または選択されたＴＶ走査線におけるＨシンクおよび／またはカラーバースト包絡線に対してより良い見易さを提供することである。さらに、ＨＢＩ部分における選択されたＴＶ走査線に信号が存在する場合、ビデオ信号を修正することによって上記同様の見易さを高めることが目的である。より良い見易さは、テレビディスプレイのオーバースキャン部分の暗がり効果の減少、および／またはＨＢＩ部分および／またはＶＢＩ部分、および／またはオーバースキャンエリア内のＨＢＩおよび／またはＶＢＩ付近におけるディスプレイ上の幾何学的または位置的誤差の減少または消去を含み得る。本明細書中の「テレビディスプレイ」は、Ｈおよび／またはＶ遅延を有するディスプレイのような、オーバースキャンエリアを表示できるテレビ受信器、テレビモニタ、ビデオモニタ、クロスパルスモニタおよびコンピュータディスプレイを含む。標準ＴＶディスプレイまたはセットを普通に見た場合（例えば、ＨまたはＶ遅延機能を有さず）、オーバースキャン期間またはエリアは見えないまたは表示されない。したがって、少量のアクティブビデオ線は、通常、標準ディスプレイ内のオーバースキャンエリアまたは期間に存在し、ビデオ信号のアクティブ部分のこれらの小さな期間またはエリアは、標準ディスプレイを介して切り取られ、言い換えると、ユーザからは見えない。
【０００７】
さらなる別の目的は、ＴＶ帰線消去期間中のＴＶディスプレイ水平タイミング回路の位相誤差を減少させることである。この帰線消去期間は、ＨＢＩを含み得、例えば、オーバースキャンエリア内にあるＨＢＩおよび／またはＶＢＩ内またはその付近のＡＧＣ（追加の正方向）パルスを修正することによってＨＢＩ内のカラーバーストを見ることを含み得る。産業標準ビデオコピー防止信号に対する特定のテスト条件では、多数の擬似シンクパルスが１本のビデオ走査線から別のビデオ走査線へと変化する。さらに、擬似シンクパルスは、位置および／またはパルス幅が変調されてもよい。このようなパルスは、ＶＢＩ内またはオーバースキャンエリア内のその付近に挿入または追加されてもよく、これは、速い反応のＡＦＣ水平位相ロックループ発振器を有するディスプレイがＶＢＩまたはオーバースキャンエリア内のその付近に幾何学的歪みを表示する原因となる。
【０００８】
ＵＳ特許第６，８３６，５４９号は、擬似シンク（または正常シンク）パルスおよび／またはＡＧＣパルスを変調するための様々な方法および装置を記載している。変調は、位置および／またはパルス幅および／または振幅変調を含んでもよい。変調（振幅、位置またはパルス持続期間を含み得る）は、一度に１つ以上のパルスに適用されてもよい。ＶＢＩロケーション内および／またはオーバースキャンエリア内のＶＢＩ付近の負方向パルスの持続期間および／または位置の変調を用いて、位相検出器または位相ロックループは、オーバースキャン期間中に水平電圧制御発振器に対して動的または時変誤差信号を生成し得る。位相ロックループ回路の位相検出器または発振器安定性に対するオーバースキャン期間中の時変効果の量を少なくとも減らすことが、本開示の別の目的である。
【０００９】
さらに、「コンテンツ制御システムにおける後続生成制御コマンドを修正する方法及び装置」と題した係属中のＵＳ特許出願番号第１１／１２３，８２６号（その全容において本明細書中に参考に援用される）には、特定のコンテンツ制御またなコピー防止信号がＶＢＩエリア内で再配置されることがあり、これは、オーバースキャンエリア内で表示されたときに追加の幾何学的歪みの原因となり得る。本開示の一目的は、コンテンツ制御またはコピー防止信号がコンテンツ制御システム内のコマンドを変更するように操作された場合にオーバースキャンエリアにおけるそのような幾何学的歪みのより少ない表示を可能にすることである。
【００１０】
別の実施形態では、選択されたＴＶ線のカラーバースト位相修正は、オーバースキャンエリアで見たときに特定の種類のカラー処理システムを識別するために使用されてもよい。従来のカラーストライプ信号または新しいカラーストライプ信号は、カラー処理システムを識別するために使用されてもよい。さらに、ＴＶ線に追加された正しくない位相のサイクルの少なくとも一部を有する新しいカラーストライプ信号は有効性を上げ、これは、記載されたように、コピー防止および／または識別目的のために使用されてもよい。
【図面の簡単な説明】
【００１１】
【図１Ａ】ＴＶディスプレイに一般的に使用される典型的な従来の水平タイミング回路のブロック図を示す。
【図１Ｂ】ＴＶディスプレイに使用される典型的な従来のクランプ回路のブロック図を示す。
【図１Ｃ】正常な水平シンク信号の後に非標準シンクパルスに追加される水平周波数位相ロックループの応答に対する波形を示す。
【図１Ｄ】位置および／または持続時間（例えば、ＴＶ線内であっても、１本のＴＶ線から別のＴＶ線であってもよい）が変化している追加の負パルスの波形の一例を示す。
【図１Ｅ】ビデオ信号の一部に追加された１つより多いパルスの効果を示している波形を示す。
【図２】遅延垂直および水平走査を有するビデオディスプレイの図を示す。
【図３】オーバースキャンエリア内の幾何学的歪みがディスプレイ内に生じる、遅延垂直および水平走査を有するビデオディスプレイの図を示す。
【図４Ａ】ビデオ信号がそのＶＢＩの少なくとも一部および／またはオーバースキャン期間内の少なくとも一部に追加の波形または信号を有するシステムのブロック図を示す。
【図４Ｂ】図４Ａの信号と同様の信号に応じて水平および垂直期間を表示する、Ｈ−Ｖ遅延を有するＴＶディスプレイの画像を示す。
【図５Ａ】図５Ａは、本装置の一般的な実施形態を示す。
【図５Ｂ１−６】図５Ｂは、図５Ａの実施形態の変形を示す。
【図６Ａ】図６Ａは、少なくとも１つの位相スイッチポイントがあるカラーバースト信号の変形を示す。
【図６Ｂ】図６Ｂは、少なくとも１つの位相スイッチポイントがあるカラーバースト信号の変形を示す。
【図７Ａ】図７Ａは、コピー防止またはコンテンツ制御波形を示す。
【図７Ｂ】図７Ｂは、正常なカラーバースト波形を示す。
【図７Ｃ】図７Ｃは、コピー防止またはコンテンツ制御波形を示す。図７Ｃは、帯域通過および／またはくし形フィルタリングにあまり反応しない波形を示す。
【図７Ｄ】図７Ｄは、コピー防止またはコンテンツ制御波形を示す。図７Ｄは、帯域通過および／またはくし形フィルタリングにあまり反応しない波形を示す。
【図８】ＨＢＩ修正器のブロック図を示す。
【図９】カラーサブキャリア信号をビデオ信号の一部に挿入、追加または提供するための装置のブロック図を示す。
【図１０Ａ】図１０Ａは、ＴＶセットのカラー処理回路の種類を識別することを可能にする少なくとも１つの垂直帰線消去期間における位相修正をディスプレイ上に示す。
【図１０Ｂ】図１０Ｂは、ＴＶセットのカラー処理回路の種類を識別することを可能にする少なくとも１つの垂直帰線消去期間における位相修正をディスプレイ上に示す。
【発明を実施するための形態】
【００１２】
図１Ａは、ＴＶディスプレイにおける従来の型の（従来技術）水平周波数位相ロックループ回路１０のブロック図を示しており、回路１０は、ＴＶディスプレイのシンク分離器１２を回路１０の位相検出器１１の第１の入力端子に結合するためにシンク分離器１２からビデオ信号パルスを受信する。位相検出器１１の出力信号は、フィルタおよび／または増幅器１３に結合され、次いで可変周波数発振器（または電圧制御発振器）１５に供給される。次いで、発振器１５の出力信号は、位相検出器１１の第２の入力端子に結合される。従来、フィルタ１３は長い時定数に設定され、および／または可変周波数発振器１５は、非常に限定された周波数偏差範囲を有する。その理由としては、ホームＶＣＲ（ビデオカセットレコーダー）が流行する前、ＴＶディスプレイ水平位相ロックループ回路１０に結合された信号は時間ベースの面では非常に安定しており、周波数にあまり偏差がなかったからである。しかしながら、ホームビデオカセットレコーダーの導入は、ＴＶ水平位相ロックループ回路の製造者がフィルタ１３および／または可変周波数発振器１５の周波数偏差範囲を再設計する原因となった。したがって、シンク分離器１２によって分離または感知される追加の負方向パルスは、そのようなより新しい型の水平位相ロックループが古い水平位相ロックループ回路と比べてオーバースキャンエリアにおいてより顕著な走査誤差を生成する原因となり得る。図１Ａの水平位相ロックループ回路１０は、水平走査回路に対する波形を生成するためにＴＶディスプレイで使用されてもよい。
【００１３】
図１Ｂは、表示された画像に対して帰線消去または黒レベル振幅基準レベルを確立させるためにＴＶディスプレイで使用される従来の（従来技術）クランプ回路３１のブロック図を示している。クランプ回路３１は、通常、ＨＢＩのバックポーチの一部と一致するパルスを生成するためにシンク分離器または水平位相ロックループ回路からサンプリング信号を導き出す。クランプ回路３１がどれくらい早く反応するかによって、所定の時間間隔内で帰線消去または黒レベルを参照する能力が決定される。通常、クランプ回路３１は、ＴＶ信号バックポーチ領域（Ｈシンクパルスに続く）における雑音に反応しないように少し遅く反応する。オーバースキャンエリアのバックポーチ領域内のいくらかの追加のパルスによって、クランプ回路は、正常に見た標準ＴＶセットに対して表示誤差を示さない一方、オーバースキャンエリア内（例えば、ＨまたはＶ遅延機能を有するＴＶセット内の）で見た場合に輝度誤差を生成し得る。
【００１４】
図１Ｃは、従来の水平シンクパルスに続く余剰または追加の（例えば、擬似シンク）負方向パルスの効果を表す一連の波形を示している。波形４１は、水平偏向回路で使用される正および負の領域を有するのこぎり波信号のような水平走査波形を表す。のこぎり波形の正および負の領域は、斜線で示されている。波形４１は、上述したように水平周波数位相ロックループ回路（ＰＬＬ）から供給されるか、または電圧制御発振器から供給されてもよい。波形４２は、シンク分離回路からの出力信号を表している（例えば、シンク分離器は、シンク分離器の出力に極性の反転を提供する一方、ビデオ信号に対して帰線消去レベルより下のレベルで分割する）。波形４２で示されるように、水平シンクパルス（Ｈシンク）４７および余剰シンクパルス（Ｅシンク）４８が存在する。波形４３は、シンク分離器および水平周波数電圧制御発振器からの入力を有する典型的な位相検出器の出力信号を表す。パルス５１は、シンク分離器出力が負の電圧領域内の電圧制御発振器の波形と一致した場合、正方向パルスを表す一方、パルス５２は、シンク分離器出力信号が正の電圧領域内の波形４１と一致した場合、負方向パルスである。
【００１５】
ＰＬＬはフィードバック回路であるため、パルス５１および５２のエリアをゼロ平均した場合に平衡が確立される。図１Ｃの期間１および２で見られるように、帰線開始時間は水平シンクパルス４７の１時間単位の前であり、パルス５１および５２の平均値はゼロである。期間３および４では、擬似シンクパルスのような余剰負方向パルス４８は（正常）水平シンクパルスに続く。位相検出器波形４３は、余剰負方向パルス５３を表す（例えば、パルス４８によって）。次いで、この負パルス５３は、位相検出器からの出力に対して正味負の平均値をもたらし、電圧制御発振器は、位相検出器から平均ゼロ値を確立するためにその位相を変更する必要がある。ＰＬＬが最終的にロックされるか平衡になるにつれて、期間５に示されるように、パルス５１は新しいパルス５１’へと幅が広げられ、パルス５２は新しいパルス５２’へと短くなる一方、パルス５３は、位相検出器出力にて同じに保たれる。
【００１６】
期間５で見られるように、波形４３は、パルス５１’、５２’および５３のエリアを合計して平均値ゼロを有する。期間５では、波形４１は、位相検出器に対して平衡状態を確立するためにのこぎり波信号が単位正方形の二分の一分進んだことを示している。したがって、図１Ｃに示されたような余剰負方向パルスは、走査波形の位相がシフトしたことを示す（例えば、進んだ位置または位相にシフトする）。
【００１７】
図１Ｄは、垂直帰線消去期間またはオーバースキャンエリア内のその付近における１つ以上のＴＶ線に生じるであろう追加の負方向パルスを示している。追加の負方向パルスは、１本のＴＶ線内または一連のＴＶ線内の幅および／または位置が異なる場合がある擬似シンクパルスのような擬似シンクパルスを含んでもよい。任意のこれらの追加の負方向パルスは、オーバースキャン領域に対して遅延ＨまたはＶテレビモニタ内に誤ったまたは歪んだ表示の原因となり得る。図１Ｃで見られるように、Ｅシンク４８のような１つのパルスのみを追加することは、水平位相ロックループ発振器に対して誤った帰線起点の原因になる。さらに、図１Ｄで示されたような複数の追加のパルスは、通常、オーバースキャン領域内での帰線起点のさらなるシフトをもたらす（例えば、Ｅシンクパルス４８で示されたように１つのパルスのみを追加することと反対に）。
【００１８】
図１Ｅは、遅延ＨまたはＶ機能を有するテレビディスプレイに対する走査誤差または（幾何学的）歪みをどのように補償する（または少なくとも部分的にオフセットする）かについての一例を示している。一例においては、図１Ｅは、２つのパルス（例えば、ＪＢＨ、水平シンクの直前およびＲＡＨ、水平シンクの直後）がどのように水平発振器のタイミングのスキューイングをバランスさせるかまたは実質的に減少させるかを示しており、スキューイングのバランスまたは減少ができない場合、オーバースキャン領域内のディスプレイに対する（顕著な）画像シフトという結果となる。
【００１９】
図１Ｅで示されたように、第１の部および第２の部では、水平位相ロックループ発振器の位相検出器に結合されたのこぎり波形４１’’が示されている。真ん中の部分では、「正常」水平シンク（Ｈシンク）は、シンク分離回路（図示せず）から引き出された正方向パルス４７によって表されている。下の部分では、示された位相検出器の出力は、水平パルスの幅である、正方向パルスおよび負方向パルスの全時間を有する。図１Ｅの第１の部および第２の部では、位相検出器出力の半分は正方向５１であり、位相検出器出力の別の半分は負方向５２である。上部波形（のこぎり波信号）は、位相検出器の極性を決定する。例えば、Ｈシンクがのこぎり波形の正のサイクル（正の領域）と一致した場合、位相検出器は、負方向パルス５２を出力する。Ｈシンクパルスがのこぎり波形の負のサイクル（負の領域）中ののこぎり波形と一致した場合、位相検出器は正パルス５１を出力する。
【００２０】
図１Ｅの第１の部および第２の部におけるＨシンクパルスが正のサイクルおよび負のサイクルののこぎり波形と一致するため、位相検出器は、ゼロに平均される、正方向パルス５１および負方向パルス５２を出力する。この例において、ゼロの平均は、「中心にある」画像をもたらす。図１Ｅのパネル３では、実質的に「中心にある」画像を得るために余剰信号（例えば、ＪＢＨおよびＲＡＨ４２’’）をビデオ信号に追加する方法、または位相検出器をゼロ平均にする一方（例えば、波形４３’’では、ＪＢＨを介するパルス５４、Ｈシンク４７を介するパルス５１および５２、ならびにＲＡＨを介するパルス５５の組み合わされたエリアが約ゼロに平均されるはずである）、約ゼロまたはわずかな走査オフセットが生じることを可能とする方法が示されている。したがって、余剰シンクパルスが水平シンクパルスＪＢＨの直前に追加された場合、水平シンクパルスＲＡＨの直後の別のパルスが、例えば、スキューイングを減少または消去させるために追加される必要がある（またはその逆）。例えば、好ましくは、ＪＢＨおよびＲＡＨのパルス幅は、発振器内のわずかなオフセットに対して本質的／実質的に同じである。さらに、前および後のパルスは、好ましくは、位相検出器出力を減少したまたはわずかな走査オフセットを有するゼロにバランスさせるようにおよそ同じ合計または累積持続時間を有するべきである。例えば、Ｈシンクより前の１つ以上のパルスの合計持続時間がＨシンクより後の１つ以上のパルスの合計持続時間と実質的に同じである以上、走査オフセットまたはスキューイングにおける減少が発生する。パルス（例えば、ＪＢＨおよび／またはＲＡＨ）の相対的な位置は、各々が波形４１’’で見られるようにそれぞれの負および正のエリアを超えない限り、移動されてもよい。
【００２１】
図２（従来技術）は、帰線消去期間がスクリーンの中央で表示されるような従来のＨ−Ｖ（例えば、クロスパルス）遅延特徴を有するＴＶディスプレイ（プロタイプのＴＶモニタのような）を示している。ここで、正常なビデオ信号は、その垂直および／または水平帰線消去期間（オーバースキャン領域）が完全に表示されている。（典型的な消費者ＴＶセットは、垂直および／または水平帰線消去期間を全く表示しないことに留意されたい。）図３は、オーバースキャンエリアの少なくとも一部または垂直帰線消去期間（ＶＢＩ）の少なくとも一部内に追加された負パルスを有するビデオ信号を有するＨ−Ｖ遅延特徴を有するＴＶモニタのようなオーバースキャンエリアを表示しているＴＶの図を示している。ここで、示されるように、ＶＢＩ内のまっすぐな縁のディスプレイの代わりに、ディスプレイは、図２と比較してオーバースキャンエリア内で望ましくない非線形であるか、乱雑風であるか、または幾何学的に歪んでいる。したがって、少なくとも１つの水平パルスの前および／または後に１つ以上の負方向信号（またはパルス）を追加／挿入することによってビデオ信号（少なくとも１つのコピー防止信号を含み得る）を修正することは、帰線消去期間で表示されるように、オーバースキャンエリアで表示された（幾何学的）歪みを減少させる。この修正は、位相ロックループ回路またはタイミング回路におけるオーバースキャン期間中の位相誤差をオフセットまたは減少することができるか、または修正は、位相検出器からのＶＢＩまたはオーバースキャンエリア中の位相誤差信号を減少することができる。標準ディスプレイ（例えば、Ｈおよび／またはＶ遅延機能を使用または有さない消費者ＴＶセット）で普通に見る場合、オーバースキャンエリア内の負方向パルスまたは正方向パルスはディスプレイ上に歪みを発生させないことに留意されたい。
【００２２】
図４Ａは、ディスプレイのオーバースキャンエリアの一部に波形を提供するために組み合わせ回路６２を介して組み合わされ、追加または挿入された源６３からの信号（例えば、オーバースキャン期間またはエリアに提供されたコピー防止信号）とともに端末６１（例えば、プログラムビデオ源）で付与されたビデオ信号を示している。回路６２の出力信号は、次いで、ビデオレコーダー（例えば、ＶＣＲ）６４に結合される。レコーダー６４から「出た」出力信号は、次いで、オーバースキャン波形とともにビデオ信号をプレイバックする。ビデオレコーダー６４がＶＣＲで通常発見されるような時間軸誤差を多少導入する場合があるため、ビデオレコーダー６４からの出力信号を再生するように接続されたＴＶディスプレイは、通常、普通に見た場合、またはＨおよび／またはＶ遅延機能なしに見た場合に標準ＴＶディスプレイ上に歪みを表示しないそのような時間軸誤差（例えば、レコーダー６４のような再生デバイスの速度変化）に対して素早く反応する水平走査回路を有している。したがって、少なくとも１つの負方向パルスが水平シンクパルスとずれているため、追加の波形は、時間軸誤差として解釈されることがある。したがって、図４Ｂで示されるように、そのようなＨ−Ｖ遅延を有するＴＶディスプレイ６５は、オーバースキャン領域内の幾何学的歪みまたは裂け目を表す。特に、追加の波形がＶＢＩ領域および／またはオーバースキャンエリア内のその付近にある場合、幾何学的歪みは、通常、ＶＢＩ内で表示される。しかしながら、レコーダー６４の出力信号がビデオ信号および／または波形を変化させる修正回路６６に結合されている場合、ＴＶディスプレイ６７はＨ−Ｖ遅延も有しており、したがって、オーバースキャンエリア内の減少された幾何学的歪みを表す。さらに、図４Ａ内の点線で示されるように、コピー防止信号のような帰線消去またはオーバースキャン期間内に信号を含むビデオ源は、修正器６６に結合されてもよい。修正器６６の出力は、次いで、オーバースキャンエリア内の減少または消去された歪みを表示または示すＴＶディスプレイ６７に接続されてもよい。
【００２３】
図４Ａに関して、源６３によって生成された波形は、ＴＶディスプレイ６５がＶＢＩまたはオーバースキャンエリア内の輝度および／または色度誤差および／または幾何学的歪みの任意の組み合わせを表す原因となり得る。輝度および／または色度誤差は、例えば、ＴＶディスプレイ６５によって表示されるようなオーバースキャンエリア内の１つ以上の帰線消去期間の少なくとも一部における暗がりまたは明るみとして表れる。したがって、修正回路６６は、オーバースキャンエリアまたは帰線消去期間の一部を表示するモニタ上の輝度および／または色度および／または幾何学的誤差／歪みの任意の組み合わせを減少し得る。回路または装置６６のような修正器がＶＢＩまたはオーバースキャンエリアの一部に信号を提供するビデオ源（例えば、信号６１＋６３、またはオーバースキャンエリアまたは期間内にコピー防止信号を含み得るビデオ源）と入力端末との間で録画デバイスまたはビデオデバイスに結合されてもよいことに留意されたい。
【００２４】
図５Ａは、ＴＶディスプレイのオーバースキャンエリア内のＴＶ信号の再生可能性を改善するためのビデオ信号のための修正装置７１の一般例を示している。修正装置７１は、デジタルおよび／またはアナログドメイン内の入力ビデオ信号を修正してもよい。アナログ回路、デジタル回路またはソフトウェアの任意の組み合わせが、修正装置７１の少なくとも一部を実行してもよい。修正装置７１は、任意の以下の方法またはそれらの組み合わせによってビデオ信号を修正し得る：
ａ）オーバースキャンエリア内の位相ロックループ誤差をオフセット（例えば、オーバースキャンディスプレイ上の幾何学的誤差をオフセット）するために信号を追加する。これは、少なくとも１つの負方向パルスをビデオ信号の一部に追加することを含んでもよい。
ｂ）ＶＢＩの少なくとも一部および／またはＨＢＩの少なくとも一部、オーバースキャンエリアおよび／またはＶＢＩ内の少なくとも１つの選択された負方向パルスの少なくとも一部の位置、パルス幅、レベルおよび／または振幅を修正する。例えば、この修正は、オーバースキャン期間またはエリアにおける表示(viewing)、幾何学的誤差、位相ロックループ発振器誤差、位相検出器オフセット誤差、発振器位相／周波数変化、および／またはオーバースキャンまたは帰線消去エリアの走査の任意の組み合わせを改善する。
ｃ）ＶＢＩの一部および／またはＨＢＩの一部、オーバースキャンエリアおよび／またはＶＢＩ内の少なくとも１つの選択された正方向パルスの一部の位置、パルス幅、レベルおよび／または振幅を修正する。例えば、修正は、オーバースキャン領域における表示(viewing)を改善する。
ｄ）ディスプレイデバイスに対するオーバースキャンエリア内の再生可能性を改善するために帰線消去期間および／またはオーバースキャンエリア内のレベルを修正する。
【００２５】
図５Ｂ１〜図５Ｂ６は、本開示に従ってビデオ信号修正するために様々な方法および関連の装置を使用した修正装置７１の変形を示している。減衰器７２は、オーバースキャンエリア内の少なくとも１つの負方向または正方向パルスを減衰してもよい。そのような負パルスは、擬似シンクパルスのような任意の追加の負方向パルスおよび／または等化パルスを含んでもよい。例えば、正方向パルスは、ＡＧＣ（自動ゲイン制御追加の正方向）パルスであってもよい。例えば、等化パルスの場合、オーバースキャン領域内のＴＶ走査線の真ん中に生じる１つ以上の等化パルスは、オーバースキャン部分における再生可能性を改善するために減衰されてもよい。例えば、追加の負方向（擬似シンク）パルスの場合、１つ以上の擬似シンクパルスの少なくとも一部は、オーバースキャンエリア内の再生可能性を改善するために減衰または修正されてもよい（例えば、帰線消去期間またはオーバースキャン部分を示すディスプレイに対して）。
【００２６】
同様に、減衰について上述された例に対して、減衰装置７２、レベルシフト装置７３、クリッピング装置７４、位置シフト装置７５、除去装置７６および／または置換または加算装置７７の任意の組み合わせも、オーバースキャン領域内の再生可能性を改良するために使用されてもよい。上述されたそのような方法および／または装置は、図５Ａでは修正器７１に含まれてもよく、そのような方法および／または装置は、静的および／または動的（例えば、時変）方法で修正し得る。修正器７７はＶ信号を示しており、Ｖ信号は、ビデオ信号の一部または１つ以上の追加のパルスの少なくとも一部に挿入および／または追加された波形または信号であり得る。Ｖ信号は、ビデオ信号の選択された帰線消去またはオーバースキャン期間における（表示）ビューイング効果を減少させるための追加または挿入された信号である。例えば、Ｖ信号は、図１ＣにおけるパルスＥシンクによるオフセット誤差を減少または取り消すために追加および／または挿入された負方向パルスであってもよい。水平シンクパルスの後の負パルスである信号ＲＡＨ（例えば、図１ＣのＥシンクパルスと同様）の走査オフセット効果が水平シンクパルスの前の負パルスである信号ＪＢＨによって少なくとも部分的に相殺される例として、図１Ｅを参照。あるいは、例えば、Ｖ信号は、正方向パルスによるオーバースキャンエリア内の暗がりを減少させるためにＶＢＩおよび／またはその付近の一部を下げることがある。これらの効果は、表示されたＶＢＩおよび／またはＨＢＩの暗がりおよび／または幾何学的歪みを含み得る。
【００２７】
図６Ａ（従来技術）は、例えば、単相スイッチポイント８３を有するコピー防止またはコンテンツ制御のために従来使用されている修正されたビデオカラーバースト８１の波形を示す一方、図６Ｂは、位相スイッチポイント８４および８５を用いた同様の修正されたカラーバースト８２を示している。図６Ａおよび／または図６Ｂで示されたような修正されたカラーバーストは、ディスプレイの特定の型のカラー処理システムを識別するために使用されてもよい。
【００２８】
図７Ａ〜図７Ｄは、様々なカラーバースト波形を示している。カラーバースト１０１は、正位相ΦＮを有する正常な（従来技術）カラーバーストを示している。波形１０２は、位相ΦＡおよびΦＢの一連のサイクルを分けるスイッチポイントを有する従来のカラーバーストを示している。波形１０３は、スイッチポイントが２つの位相Φ１およびΦ２を分けるカラーバーストの一例を示す（例えば、Φ２は、実質的に正位相ΦＮであり得る）。波形１０２または１０３は、選択されたＴＶ線上のコピー防止信号として使用されてもよく、またはディスプレイ内のカラー処理システムを識別するために使用されてもよい。
【００２９】
一般に、波形１０３（またはカラーストライプ波形）のようなコピー防止信号は、カラーストライプ信号の一バージョンを形成するために波形１０１のような正位相カラーバーストを有する多数の線（例えば、８、９、１０本等）ごとに特定の数のＴＶ走査線（１、２、３または４本の線のカラーバースト修正）のグループで提供されている。例えば、１２本のＴＶ走査線のセットにおいて、２本または４本のＴＶ走査線は、位相修正を含む図７Ａの波形１０２のような波形を含んでもよく、グループ内の残りの２０本〜８本のＴＶ線は、図７Ｂの１０１で示されるように「正常」信号（例えば、カラーバーストの位相修正がない）を有している。コピー防止信号の有効性を上げるためにおよび／または新しいコピー防止信号を提供するために、少量の正常ではないカラーバーストサブキャリア位相信号（例えば、１〜３サイクル、または選択された数のサイクル）を有する波形１０１のようなカラーバーストにおける少なくとも１つのＴＶ走査線を修正する。波形１０４では、波形１０１の選択された走査線が位相Φ１で修正される。（以前に）実質的に正位相を含む１つ以上のＴＶ走査線にΦ１信号を挿入、提供または追加するこの修正は、線の別のセットがカラーストライプ信号／波形（波形１０３または生成されたカラーストライプ波形のような）を含む場合、コピー防止信号を提供する。上述された任意のカラーバースト信号修正（波形１０２、１０３および／または１０４のような）がコピー防止信号を提供するためにアクティブおよび／またはオーバースキャンエリア内の任意のＴＶ線に含まれてもよい。
【００３０】
一例としては、波形１０４等を有するカラーバースト１０１を有する多数のＴＶ走査線を埋めるまたは提供する、および／または１０３のようなバースト位相修正または波形１０４を有する一組の線より多くの正常ではない位相のサイクルがあるバースト位相修正を有する別の組の線を含むことである。
【００３１】
図８は、ＨＢＩおよび／またはその付近の少なくとも一部を修正するための例示装置１２０を示している（選択されたＴＶ線に対して）。端末１２５上のビデオ入力信号は、修正回路１２２に結合されているタイミング信号ＨＢＩ１（線１２３）および／またはＨＢＩ２（線１２４）を生成するタイミング回路１２１に結合されている。修正回路１２２は、次いで、端末１２５上のビデオ信号を受信し、例えば、正常ではない位相カラーバーストを端末１２６上の少なくとも１本のＴＶ走査線（例えば、実質的に正常（位相）バーストを有する）に追加、挿入または提供するためにＨＢＩおよび／またはその付近の少なくとも一部を修正する。図９は、サブキャリア信号が少なくとも１つのＨＢＩエリア内のビデオ入力信号の選択された部分に追加または挿入された例示の修正装置１１１を示している。例えば、回路１１１は、正常（位相）カラーバースト包絡線（を提供する）前に正常ではない位相サブキャリアの少なくとも１つのサイクルを追加、提供または挿入してもよい。図６Ａまたは図６Ｂで見られるまたは波形１０３にあるような分相バーストを有する選択された数の線を有するコピー防止信号（カラーバースト包絡線は標準カラーバーストと比較して余分なサイクルを含み得る）を合成し、次いで図７ＤのΦ１のような分割バーストカラーバースト（またはカラーストライプ信号）を含んでいない少なくとも１本の線に正常ではない位相の少なくとも一部を追加または提供することができることに留意されたい。１０２、１０３および１０４の例は位相の２つのゾーンを示しているが、コピー防止信号を合成するために２つより多いゾーンが提供されてもよい。
【００３２】
新しいカラーストライプ（例えば、コピー防止）信号（擬似シンク、ＡＧＣパルス、修正されたフロントおよび／またはバックポーチレベル、アクティブビデオ線の一部を含み得るオーバースキャンエリア内の追加のパルスの任意の組み合わせを含み得る別のビデオコピー防止信号と組み合わされてもよい）は、一組の選択された線の水平帰線消去期間において正常および正常ではない位相サブキャリアサイクルの複数のサイクルを含み、別の組の選択された線には、正位相サブキャリアの多数のサイクルに加えて正常ではない位相サブキャリアサイクルの少なくとも一部を含んでもよい。例えば、コピー防止信号では、一組のＴＶ線が、ＨＢＩ内の正常位相サブキャリアの６〜１２サイクルが後に続く正常ではない位相サブキャリアの１〜３サイクルを生成し得る一方、別の組のＴＶ線は、ＨＢＩ内の正位相サブキャリアの４〜７サイクルが後に続く正常ではない位相の４〜７サイクルを生成し得る。当然、正常および／または正常ではない位相サブキャリアのサイクルに対して別の数字が使用されてもよい。別の例では、カラーバースト（位相）修正を含む二組（またはそれ以上）のＴＶ線がある。一組のＴＶ線は、別の組のＴＶ線よりバックポーチエリアまたはＨＢＩ内に少ない正常ではない位相サブキャリアのサイクルを有している。さらに、当然に、任意のこれらのバースト修正は、任意の追加のパルス、および／またはフロントおよび／またはバックポーチ領域におけるＨＢＩ修正を含んでもよい。
【００３３】
新しいカラーストライプ信号に対していくらかの位相修正を線（例えば、少なくとも一部または全て）に提供することによって（例えば、一組のＴＶ線が別の組のＴＶ線より多くの位相修正のサイクルを有している）、カラーストライプ処理の有効性が増すことに留意されたい。例えば、くし形フィルタ等を使用するＴＶシステム（例えば、ビデオレコーダー）は、連続するＴＶ線の間のカラー信号を平均する。例えば、２本線のカラーストライプ処理は、特定のくし形フィルタを有するいくつかのレコーダーを有する４本線のカラーストライプ処理と比較してかあまり効果的ではない。その理由の一部としては、２カラーストライプ信号は、ライン・ツー・ライン平均を利用するくし形フィルタによってこすられるかまたは平均される。例えば、信号１０１を有するＴＶ線と信号１０３を有する別のＴＶ線との間を平均することは、１０１ではバーストサイクルが信号１０３のバーストサイクルほど即座に開始しないため、信号１０３の最初の１または２Φ１サイクルの減衰をもたらす。水平シンクパルスから即座に続く第１のサイクル期間に対する信号１０１〜１０３の平均振幅は、約５０％である。したがって、１０１の通常修正されていないカラーバースト信号（の１本以上のＴＶ線）に対して１０４を提供するまたは１０１を１０４で置換することは、波形１０４から１０３において、くし形フィルタを介してより少ない（コピー防止効果）減衰（または結果的にさらなるコピー防止有効性）をもたらす（例えば、１、２、３または４本線のコピー防止信号に対してより効果的なカラーストライプ信号を提供するまたはそのような結果となる）。くし形フィルタを利用するレコーダーまたはデバイスを用いることによってより効果的であるこの新しいカラーストライプ（コピー防止）信号は、ＴＶディスプレイで使用される特定の種類の信号処理を識別するために使用されてもよい（例えば、下記参照）。
【００３４】
一実施形態は、ＴＶディスプレイがくし形フィルタまたは従来のアナログフィルタのどちらを組み入れているかを識別するための方法を提供する。くし形フィルタは、通常、１本のＴＶ走査線を別の（連続する）走査線に加算または減算するために遅延線を使用する。その際、テスト信号または特定のプログラムビデオ信号を用いて、くし形フィルタの印は、アクティブ画像エリアで見られる「ハンギングドット」として知られるアーチファクトである（１本の走査線から別の線へ）。従来のアナログフィルタは、これらのハンギングドットという結果にならない。これらのハンギングドットは、ビデオプログラムで容易に見ることはできない。なぜなら、ビデオ信号は、シーンからシーンへと変化する傾向があり、標準ＴＶセットで普通に見た場合に見ている人がハンギングドットを見ることを可能とする十分なカラー情報を全てのシーンが有していない。
【００３５】
したがって、実質的に正位相のカラーバースト信号とは異なるサブキャリアの少なくとも１つのサイクルを含み得るカラーストライプ信号を追加するための新しい使用は、ＨＢＩ（水平帰線消去期間）内の少なくとも１本の走査線に設けられてもよい。このカラーバースト修正は、実質的に正位相のカラーバーストの少なくとも１つのサイクルに充たる場合があり、および／または入力カラーバーストが存在しないことがあるＨＢＩ内の別の領域に提供されてもよい。例えば、実質的に正常なカラーバースト信号の少なくとも１本の線が後に続く、２〜４本の走査線に対する分相カラーバースト包絡線を有するビデオ信号を修正することは、くし形フィルタを有するＴＶディスプレイを識別するＨＢＩまたはオーバースキャンエリア内にハンギングドットが直ちに示す（例えば、Ｈおよび／またはＨ−Ｖ遅延機能を有するモニタ上に表示されているように）。ＨＩＢまたはオーバースキャンエリア内にハンギングドットが表示されていない場合、ＴＶディスプレイはアナログフィルタを有しているように識別される。したがって、カラーストライプコピー防止信号の新しい使用は、ディスプレイ内のビデオ信号のカラー処理に使用される特定の型のフィルタの識別を可能にする（例えば、オーバースキャンエリアを見ることによって）方法および装置のためである。当然、カラーストライプ信号の位相および／または振幅を修正することは、水平および／または垂直遅延表示特徴を有するＴＶディスプレイにおけるカラー処理システム（くし形フィルタまたは従来のアナログクロマフィルタ）の型を識別する能力を減少させる。くし形フィルタを有するＴＶモニタからオーバースキャンエリア内のハンギングドットを示している図１０Ａを参照（例えば、Ｈ−Ｖ遅延機能または特徴を有するディスプレイを介して）。水平（実際のディスプレイ上では青色）ストライプは、オーバースキャンエリア内の従来のカラーストライプバースト修正に起因する。ストライプのすぐ右の部分（実際のディスプレイ上では緑色）は、正常カラーバースト位相を表す。図１０Ａでは、カラーストライプ信号は実際２本の走査線であるが、くし形フィルタでは、１本の（青）カラーストライプ走査線のみがオーバースキャンエリア内ではっきりで表示されている。アナログフィルタを有するＴＶセットによってオーバースキャンエリア内に表示された２走査線カラーストライプ信号では、２本の（青）水平カラーストライプ走査線がはっきりと見え、図１０Ｂに示されるように、ハンギングドットも表示されない。
【００３６】
別の実施形態では、ビデオ信号の一部における追加のパルスまたは信号の使用は、帰線消去期間またはオーバースキャン部分が表示されているときに歪みを生成するために使用されてもよい。例えば、１つ以上の擬似シンクパルスは、オーバースキャンエリアを表示するＴＶセット内で表示誤差を引き起こすために使用されてもよい。別の例では、正方向パルス／信号が、表示されたオーバースキャンエリアを暗くするために使用されてもよい。あるいは、修正されたバックポーチレベルが、表示されたときに帰線消去期間またはオーバースキャンエリアを暗く（例えば、上がったバックポーチ期間をもたらす）または明るく（例えば、下がったバックポーチ期間）してもよい。
【００３７】
本明細書中に記載された任意の装置または方法が、任意のコピー防止信号（例えば、擬似シンクパルス、シンク振幅、シンクパルス幅、および／またはシンク位置修正、バックおよび／またはフロントポーチ修正、追加の正方向パルス、カラーバースト位相、周波数、および／または振幅修正）および／またはコピー防止情報信号（例えば、ＡＰＳビット、アナログコピー防止システム、ＣＧＭＳ、ＣＧＭＳ−Ａ、ＣＧＭＳ−Ｄ、ＨＤＣＰ、コントロールビット、および／またはデータ信号）の存在を表す信号を提供するリーダーまたは検出器の任意の組み合わせを含んでもよいことに留意されたい。
【００３８】
さらに、本明細書中に記載された任意の方法または装置は、アナログ、デジタル、ソフトウェアドメインまたはそれらの組み合わせにおいて実行されてもよい。本開示のあらゆる部分に記載されたビデオ信号は、任意の標準（例えば、アナログおよび／またはデジタル）テレビまたはビデオディスプレイ信号であってもよい。記載された任意のそのような装置および／または方法は、時間および／または周波数スケーリングまたは移動を含んでもよい。
【００３９】
本開示は、例示的であり、限定をするものではない。さらなる変形が本開示に照らして当業者にとって明白になり、添付の特許請求の範囲内であることが意図されるであろう。
【図１Ａ】
2010507976.tif 000003
【図１Ｂ】
2010507976.tif 000004
【図１Ｃ】
2010507976.tif 000005
【図１Ｄ】
2010507976.tif 000006
【図１Ｅ】
2010507976.tif 000007
【図２】
2010507976.tif 000008
【図３】
2010507976.tif 000009
【図４Ａ】
2010507976.tif 000010
【図４Ｂ】
2010507976.tif 000011
【図５Ａ】
2010507976.tif 000012
【図５Ｂ１】
2010507976.tif 000013
【図５Ｂ２】
2010507976.tif 000014
【図５Ｂ３】
2010507976.tif 000015
【図５Ｂ４】
2010507976.tif 000016
【図５Ｂ５】
2010507976.tif 000017
【図５Ｂ６】
2010507976.tif 000018
【図６Ａ】
2010507976.tif 000019
【図６Ｂ】
2010507976.tif 000020
【図７Ａ】
2010507976.tif 000021
【図７Ｂ】
2010507976.tif 000022
【図７Ｃ】
2010507976.tif 000023
【図７Ｄ】
2010507976.tif 000024
【図８】
2010507976.tif 000025
【図９】
2010507976.tif 000026
【図１０Ａ】
2010507976.tif 000027
【図１０Ｂ】
2010507976.tif 000028
【国際調査報告】
2010507976.tif 000029
2010507976.tif 000030
2010507976.tif 000031
2010507976.tif 000032